(57)【要約】本発明は、製造工程中に支持の取り除き、及びレンズからの保護フィルムの取り外し方法に関する。その方法は：機械加工の支持（４）に特有の溶融材料層（５）を軟化させるため高温流体を使用することで弱める手順；前記支持を取り除くため、支持（４）上で加圧流体のジェット（７）を側面射出する手順；レンズの前面に見え、レンズから保護シート（３）それを完全に取り外すため、それを持ち上げるために、レンズ（１）の縁に方向可変の加圧ジェット（８）を側面射出する手順；およびそれを出口トレイに運ぶためレンズ（１）を排水する手順、から構成される。【選択図】図１
2009543103.tif 000002
【特許請求の範囲】
【請求項１】
レンズ（１）が、溶融材料の層（５）を使用して機械加工の支持（４）が取り付けられるその前面に保護フィルム（３）が供給されるステップから、機械加工および研磨ステップに続く、以下の様相が含まれることを特徴とする、製造工程中のレンズの支持の取り除きおよび保護フィルムの取り外し手順であって、
・加温された液体をレンズ（１、３）および支持（４）のセット全体に、好ましくは浸水によって適用する手段で溶融材料の層（５）を軟化することと、
・レンズ（１、３）から取り外しおよび分離させるため、支持（４）に加温液体の噴射の加圧された外側射出（７）をすることと、
・保護層（３）の外形からの持ち上げおよび分離の続行のため、レンズからの取り外しが完了するまで、レンズ（１）の外形に可変の傾斜が備わる、加温液体の噴射の加圧された外側射出（８）をすることと、
・出口トレイに運ぶためレンズ（１）を排水することと、を含む手順。
【請求項２】
軟化様相は、レンズおよび支持（１、３、４、５）を加温液体の浴槽に浸水することを通して実行されることを特徴とする、請求項１に記載の手順。
【請求項３】
軟化様相は、レンズの群（１、３、４、５）に加温液体の噴射または射出を適用することにより実行されることを特徴とする、前記請求項に記載の手順。
【請求項４】
軟化液体の温度は５０℃から６５℃の間であることを特徴とする、前記請求項のいずれか一項に記載の手順。
【請求項５】
可変の噴射（８）はヘリカル型射出噴射であることを特徴とする、請求項１に記載の手順。
【請求項６】
保護フィルム（３）の取り外しおよび取り除きの間、レンズ（１）は、前記レンズ（１）の外形全体に可変の噴射を適用すよう、縦軸に沿って回転することを特徴とする、請求項１に記載の手順。
【発明の詳細な説明】
【技術分野】
【０００１】
本発明は、製造工程中のレンズの保護フィルムの取り除きおよびその取り外し手順に関する。
【背景技術】
【０００２】
眼鏡および一般的な視覚を目的とするレンズの製造工程は、クリスタルのブロックまたは光学用材料の機械加工および研磨、およびその後他のステップで化学塗膜を塗布することによる表面処理が含まれる。
【０００３】
この機械加工工程では、クリスタルのブロック背面の機械加工によって生じる、および眼鏡に必要な接着縁の形による外形の切削によって生じる、クリスタルのブロックまたは光学材料は偶発的な擦過傷を回避するためその前面に保護層を有する。
【０００４】
機械加工工程の間、クリスタルのブロックをしっかり保持するために、合金層または接着する大きい表面張力を有する低温溶融材料を使用して支持が前記クリスタルのブロックに接着される。
【０００５】
支持およびクリスタルのブロックの連結は、保護プラスチックフィルムが設置される側で実行される。支持はクリスタル機械加工機械の中間ダクトを使用するよう適合されうる。
【０００６】
レンズがブロックから機械加工されると、表面に化学処理および仕上げ工程の実行を続行するため、支持および保護フィルムは外されなければならない。このため、溶融合金を保持する表面張力を弱めるため、支持は強打または衝撃によって取り外される。この工程は壊れやすい機械加工レンズを破壊する高い危険を含んでおり、よって品質低下による材料の高い拒否率が生じかねない。
【０００７】
加えて、保護層を取り外すために、保護フィルムを持ち上げて安全な取り除きができるよう、刃または同等の要素が、レンズの外形をすくい取るために使用される。これは、レンズの機械加工および切削工程の間にフィルムが前記レンズの外形に合致し、それゆえ保護フィルムを削って持ち上げる処理が、レンズの縁に小さな擦傷および損傷を引き起こし、よってその品質を変えてしまうため、扱いづらい操作である。加えて、この操作は手作業で行われなければならない。
【０００８】
支持を取り除き、および保護フィルムを取り外すこの作業は、最も一般的な方法が一つの眼鏡のために二つのレンズのセットが必要なことにより機械加工が実行されるため、通常二つのレンズセット用に行われる。
【発明の概要】
【０００９】
本発明では、事実上いずれのレンズの危険も損傷もない、前記操作を実行することのできるいくつかの特徴を有する、製造工程の間のレンズから支持の取り除きおよび保護フィルムの取り外しの操作に関する。
【００１０】
効果的な手順は以下のステップを含む。
・保護フィルムと下部支持の間に設置される前記溶融材料層のセットを柔らかくさせるため、レンズおよび支持のセットに熱い液体を適用する手段により、溶融材料の層を弱める。弱めると、この層は支持から容易に柔軟に取り外すことが可能になり、ゆえにレンズのいずれの損傷の可能性も避けることができる。
・液体は不安定な状態になっている溶融材料層の流動体を活用して取り外しができるよう、支持に液体の加圧噴射の外側射出をする。支持は他のレンズの機械加工を使用して外側に引き出される。
・保護層の境界がフィルムとレンズの間に加圧液体が侵入することにより持ち上げられるよう、前記持ち上げによって保護層の取り外しが完全になされるまで、および取り除きが得られるまで持ち上げられるよう、可変の傾斜の圧力がレンズ上に備わる、液体加圧噴射の外側射出をする。液体の噴射がレンズとフィルムの間に侵入し始めると、この分離によって取り外しが得られるまでより効果的な方法で、および高い圧力での噴射の侵入が容易にでき、前記フィルムはその接着特性を失う。
・出口トレイに運ぶ前に、レンズを排水する。この排水工程は単純にレンズを裏返すことが可能であり、つまり、凹面にたまった水は重力により落ちる。
【００１１】
下部支持にレンズを固定する溶融材料の弱化および軟化の様相は、セットを十分に加温された熱いまたは温かい流体浴槽に浸すことにより得られることが好ましく、従って、セットは溶融材料が流体または液体になる温度に達しうる。
【００１２】
従って、例として前記流体浴槽は、支持および保護フィルムの取り外しおよび取り除きができるよう再使用可能な熱湯の層で行われる。よって液体は後の使用のために回収されうる。
【００１３】
本発明の代替的な実施例では、軟化の様相は後の使用のために確保されることが可能である、温かいまたは熱い液体噴射の継続的な射出の実行を通して行われる。この噴射される液体は熱風である。
【００１４】
弱化および軟化相で使用される液体または流体は、好ましくは５０℃〜６５℃の間の温度で、およそ液体として操作に耐える十分な流体になるよう、溶融材料が固体濃度を失い始める温度である。
【００１５】
フィルムの取り外しをする可変の噴射の実行は、主に、それ自体の回転によって噴射機のノズルで引き起こされるヘリカル型噴射に関する。前記可変の噴射の効果は、フィルムとレンズを分ける縁に噴射の動きが下がることに基づき、これにより、前記噴射の侵入がフィルムの完全な取り外しを引き起こし始めるまで、液体の流入が続いて生じる。可変の噴射の適用中に、レンズは縦軸に沿って、可変噴射が前記レンズの外形全体に適用されるのに適合するよう回転する。
【図面の簡単な説明】
【００１６】
この説明を完了するため、および本発明の特徴をより容易に理解させる目的で、例証するおよび制限しない本質を表す以下の図面一式がこの明細書に同封される。
【図１】後続するステップまたは手順の様相を図式的に示した図である。
【発明を実施するための形態】
【００１７】
図を参照して理解されるように、手順は、機械加工装置からトレイ上への連結による、レンズ（１）の受容が含まれる。空気圧真空吸引パッドを具備する二つのアーム（２１）を使用して、一対のレンズのセット（１）は取り除かれる。レンズのセット（１）はそれぞれ、逆転位置のレンズ（１）によって形成され、よってその正面には保護プラスチックフィルム（３）を、およびこのフィルム（３）上には、機械加工支持（４）および固着伝導を有する。支持（４）の保護フィルム（３）へのこの固い接着は、材料の層または溶融合金を使用して実行される。
【００１８】
アーム（２１）はレンズおよび支持のセット（１、３、４、５）両方を浸水タンク（６）に設置する。この浸水タンク（６）は５０℃〜６５℃の間に加温された液体、―好ましくは水―、の浴槽、およびレンズおよび支持（１、３、４、５）のセットの搬送装置（６１）を含む。従って、加温によって溶融材料の層（５）が流体になるまでの弱化および軟化の進行が得られる。
【００１９】
タンク（６）の縁は、対のセット（１、３、４、５）を浴槽から引き上げ、および、溶融材料の層（５）が外側から突く圧力に耐えられないために前記支持（４）が外れるよう、すべてのセット（１、３、４、５）を支持（４）上の液体または流体の噴射（７）の外側射出の前に設置することを目的とする、空気圧真空吸引パッドが備わる二つのアーム（２２）を具備する。この噴射（７）によって射出される液体は、回収し、および後で再使用するため、タンク（６）からの水であることが好ましい。
【００２０】
支持（４）の取り外しの次に、可変の傾斜があり、および好ましくはヘリカル型である、液体の加圧噴射の外側の射出が実行される。前記射出（８）はレンズ（１）外側範囲に対して前記レンズ（１）の前面の保護フィルム（３）の縁が、前記フィルム（３）が完全に離れるようになるまで持ち上げる目的で、衝撃を与える。この噴射（８）の外側射出が生じると、アーム（２２）の軸回転を用いてレンズ（１）が回転する。
【００２１】
保護フィルム（３）およびレンズの支持（４）が取り除かれると、前記アーム（２２）は出口トレイにそれを運ぶためレンズ（１）の排水を実行するよう向きを変える。
【００２２】
本発明の本質および好適な実施例は、前述の実施例の参照とともに上記に説明された。しかし、材料、形状、寸法、および開示された要素の配置は、下記に列挙される特許請求の範囲の本発明の基本的な特徴が変質されない場合においてのみ、変更されうることは明らかである。
【符号の説明】
【００２３】
１．レンズ
３．保護フィルム
４．支持
５．溶融材料の層
６．浸水タンク
７．噴射
８．噴射
２１．アーム
２２．アーム
【図１】
2009543103.tif 000003
【国際調査報告】
2009543103.tif 000004
2009543103.tif 000005
2009543103.tif 000006
2009543103.tif 000007
2009543103.tif 000008
2009543103.tif 000009